Podtech/llm-jp-corpus-v4-ja_patent huggingface dataset:
(57)【要約】      （修正有）【課題】小型軽量化され、カメラ付携帯電話で使用するのに持ち運びしやすい形状のリングライトを提供する。【解決手段】発光素子が環状に配列されたリング部と電池や昇圧回路からなる本体部とが折りたためる構造であり、本体部底面に滑り止めゴムを有する。【選択図】図１
0003173941.tif 000002
【実用新案登録請求の範囲】
【請求項１】
発光素子が環状に配列されたリング部と電池や昇圧回路からなる本体部とが折りたためる構造になっているリングライト。
【請求項２】
本体部底面に滑り止めゴムを有するリングライト。
【請求項３】
リング部を展開した時と閉じたときにラッチが掛る機構を有するリングライト。
【請求項４】
ストラップホール等、吊り下げ用紐を通すための機構を有するリングライト。
【考案の詳細な説明】
【技術分野】
【０００１】  本考案は主にカメラ付き携帯電話で写真撮影を行う場合に使用するための照明用リングライトに関するものである。
【背景技術】
【０００２】  従来のリングライトはカメラで使用することを前提に作られているためカメラに取り付けるための機構や付属部品等がありカメラ付携帯電話で使用するには大きくて重く、使い勝手がいいものではなかった。
【先行技術文献】
【特許文献】
【０００３】
【特許文献１】特開２００３−１７７４５４公報
【考案の概要】
【考案が解決しようとする課題】
【０００４】  小型軽量化し、カメラ付携帯電話とともに持ち歩くのに適した形状にしたうえで撮影時には簡単にレンズ前に設置できること。
【課題を解決するための手段】
【０００５】  軽量化するために最も重い部品である電池を単５電池１本にし、発光素子に高輝度チップＬＥＤを採用し、リング部と回路及び電池格納部を折りたためる形状にすることにより大幅な小型軽量化を実現し、本体部下面に滑り止めゴムを設けることにより、軽く手で押さえることによってリングをレンズ前に安定して設置できるようにした。
【考案の効果】
【０００６】  上記のように軽量化をした結果現在市販されているカメラ用最軽量タイプの１／３以下の３０ｇ（電池含む）にすることができ、折りたたむことで小型になって携帯電話のストラップ化ができるようになったので持ち運んでいることを意識させなくすることも可能になった。
【図面の簡単な説明】
【０００７】
【図１】リング部を閉じた状態と展開した状態を示している斜視図。
【図２】リング部を閉じた状態と展開した状態を示している底面図。
【図３】カメラ付携帯電話での撮影時の構成を示している斜視図。
【考案を実施するための形態】
【０００８】  本体に電池を入れ、リング部を開き、電源スイッチを入れてＬＥＤを点灯させる。電源スイッチは２段階に作動し、１段目はＬＥＤが４個、２段目が８個点灯するので必要な明るさを選択できる。カメラ付携帯電話のレンズがリングの中心に来るようにし、下面に滑り止めが付いている本体部を携帯電話に軽く押しつけることによって安定させる。
【実施例】
【０００９】  カメラ付携帯電話の写真撮影用照明はバッテリー寿命を延ばさなければならない都合上あまり強力ではなく、ほんの少し離れるだけでほとんど効果が見られないことが多い。料理の写真を撮る場合よく斜め上方から撮る。また、室内光は通常真上から照射されるためこの角度差から器は影になることが多かった。このリングライトを用いることによりレンズの同心円上から光が照射され器の影が無くなり、カメラ付き携帯電話でもきれいな写真を撮ることができるようになった。
【符号の説明】
【００１０】  １０１…  ＬＥＤ
１０２…  電源スイッチ
２０１…  ストラップホール
２０２…  滑り止めゴム
２０３…  電池収納部
３０１…  カメラ付携帯電話
【図１】
0003173941.tif 000003
【図２】
0003173941.tif 000004
【図３】
0003173941.tif 000005
(57)【要約】【課題】    灌水した水が鉢底から流れでて、植木鉢の受け皿に溜まったままの状態になることを防ぐための、台座を有する植木鉢用受け皿を提供する。【解決手段】    植木鉢の受け皿に、中央部に溝を設けた台座を設置し、台座の溝には傾斜を持たせたことを特徴とする、台座を有する植木鉢用受け皿。【選択図】図１
0003173942.tif 000002
【実用新案登録請求の範囲】
【請求項１】
植木鉢の受け皿に、中央部に溝を設けた台座を設置したことを特徴とする台座を有する植木鉢用受け皿。
【請求項２】
台座の溝に傾斜を持たせ、その傾斜の最低部分に吸水パッドを収容し、収容した吸水パッドは容易に着脱できる請求項１の台座を有する植木鉢用受け皿。
【考案の詳細な説明】
【技術分野】
【０００１】  本考案は、灌水した水が鉢底から流れでて、植木鉢の受け皿に溜まったままの状態になることを防ぐための、台座を有する植木鉢用受け皿に関するものである。
【背景技術】
【０００２】  従来は、植木鉢で育てている植木に灌水すると、鉢底から流れ出た水は受け皿に溜まったままになっていた。
また、灌水する度に植木をわざわざ庭やベランダに運んでいた。
【考案の開示】
【考案が解決しようとする課題】
【０００３】  そのために次のような問題点があった。
（イ）受け皿に溜まった水で鉢底が浸ったままになり、植木の根腐れの原因になっていた。
（ロ）灌水した水が受け皿に流れ出ないよう少量の水を灌水していると、植木鉢の土中の空気は換気できず植木に必要な酸素が供給できない。
（ハ）受け皿と鉢底は密着状態だったため通風状態が悪く空気が滞り不潔になっていた。
（ニ）灌水の度に植木を庭やベランダに移動する方法は面倒だったり、重い植木は腰への負担も大きく大変だった。
本考案は、以上の問題点を解決しようとするものである。
【課題を解決するための手段】
【０００４】  植木鉢の受け皿に、中央部に溝を設けた台座を設置する。または受け皿の底部に厚みを持たせ台座とするためその中央部に溝を設ける。台座の溝に傾斜を持たせ、その傾斜の最低部分に吸水パッドを収容する。収容した吸水パッドは容易に着脱できる。以上を特徴とする台座を有する植木鉢用受け皿である。
【考案の効果】
【０００５】  植木鉢を受け皿の台座に載せたまま鉢底から流れ出るくらいたっぷりの水を灌水することができ、余分な水は吸水パッドに吸水されるため、受け皿は水が溜まったままの状態にはならず植木の根腐れは防止でき、受け皿も不潔な状態にならない。
十分な水を灌水することに因り、植木鉢の土中に溜まった有害なガスは水に押し流し出され、植木に新鮮な酸素が供給できる。
溝は空気の通り道にもなるため、鉢底の通風環境も良くなる。
【考案を実施するための最良の形態】
【０００６】  以下、本考案の実施の形態を説明する。
（イ）受け皿（１）に、中央部に溝（３）を設けた台座（２）を設置する。
（ロ）台座の溝（３）に傾斜を持たせる。
（ハ）溝に設けた傾斜の最低部分（４）に吸水パッド（５）を収容する。
本考案は、以上のような構造でこれを使用するときは、植木に灌水するときは台座の溝（３）の傾斜の最低部分（４）に吸水パッド（５）を収容する。
植木は台座（２）に載せたまま灌水し、鉢底（６）から流れ出る水は台座の溝（３）に落下し溝の傾斜を下り、溝の最低部分（４）に収容した吸水パッド（５）に吸水され、吸水終了した吸水パッド（５）は取り外す。吸水パッドを取り外した溝（３）は空気の通路となる。
【図面の簡単な説明】
【０００７】
【図１】本考案の斜視図
【図２】植木鉢を載せ吸水パッドを収容した断面図
【図３】溝の形状が中央から両端に傾斜したパターンの断面図
【図４】溝の断面図
【符号の説明】
【０００８】  １    受け皿
２    台座
３    溝
４    傾斜の最低部分
５    吸水パッド
６    鉢底
７    植木鉢
【図１】
0003173942.tif 000003
【図２】
0003173942.tif 000004
【図３】
0003173942.tif 000005
【図４】
0003173942.tif 000006
(57)【要約】【課題】  ハイヒールの本底を簡単な構成で形成し、着用者の拇指球にかかる過度の力や着地時の衝撃を和らげて荷重を分散・平均化し、けり出し力を維持させつつ、疲れにくく履きやすいハイヒールを提供する。【解決手段】  ヒール部分２と本体部分からなるハイヒールの本底１において、本体部分は軟質部材３と硬質部材４とからなり、軟質部材３は本体部分の前部中央に形成され、硬質部材４によりＵ字状に取り囲まれる。【選択図】図１
0003173907.tif 000002
【実用新案登録請求の範囲】
【請求項１】
ヒール部分と本体部分からなるハイヒールの本底において、本体部分は軟質部材と硬質部材とからなり、軟質部材は本体部分の前部中央に形成され、硬質部材によりＵ字状に取り囲まれることを特徴とするハイヒールの本底。
【考案の詳細な説明】
【技術分野】
【０００１】
本考案は、婦人靴のなかで、特にかかとの高いハイヒールの本底に関するものである。そして、ヒール部分と本体部分からなるハイヒールの本底において、本体部分は軟質部材と硬質部材とからなり、軟質部材は、主に、本体部分の前部中央に形成され、硬質部材によりＵ字状に取り囲まれることを特徴とする。
【背景技術】
【０００２】
従来、女性特有の優雅な姿勢を強調したいハイヒール着用者にとって、足裏の拇指球（足の親指がつながる付け根付近の、骨により足裏が膨らんだ箇所）に体重等による過度の力がかかり、足裏の付け根に疲労、負担、痛み等が生じ、さらに、それらが高じると足裏に角質やたこができ、ハイヒール愛好者の悩みの種になっていた。こうしたことでハイヒールの長時間着用を困難にしている現状があった。
【０００３】
従来の代表的なハイヒールは、着用者の体重がかかる足指の付け根部分と接触する箇所に、衝撃吸収材を内包させて、上述した悩みの種を解消しようとしているが、いまだ満足できるものではなかった。（衝撃吸収材を内包させたハイヒールは、たとえば、登録実用新案第３１３５８７５号公報に記載されている。）
【０００４】
このような構成は、特に、ハイヒールを着用して足裏に角質やたこができてしまった女性に対して、足裏にかかる負担を充分に軽減できないという欠点を有していた。
【先行技術文献】
【特許文献】
【０００５】
【特許文献１】登録実用新案第３１３５８７５号公報
【考案の概要】
【考案が解決しようとする課題】
【０００６】
本考案は、以上の点に鑑み、製作し易い簡単な構成で、荷重の分散・平均化を図り、着用者の足裏にかかる着地時の衝撃力や体重等によって生じる拇指球への過度の力を和らげ、疲れにくく履きやすいハイヒール（の本底）を提供するものである。特に、足裏に角質やたこを有する女性にはきわめて有効となるものである。
【課題を解決するための手段】
【０００７】
そのために、本考案は、ハイヒールの本底における本体部分を軟質部材と硬質部材から構成し、軟質部材を本体部分の前部中央に形成し、硬質部材によりＵ字状に取り囲むことを特徴としている。
【考案の効果】
【０００８】
この結果、本考案の本底を用いたハイヒールを着用すれば、女性特有の立ち姿や歩き姿を優雅にみせるハイヒールでありつつ、その履き心地を良好にし、長時間の着用に支障をきたさないハイヒールの提供に大きく寄与することとなる。
【考案を実施するための形態】
【０００９】
本考案の有利な実施形態は、添付の図を参照した次の説明から明らかとなる。
図１は、本考案に用いられるハイヒールの本底（外底ともいう。）１であり、ヒール部分２と本体部分により、ハイヒールの本底を形成する。この本底１の本体部分は、軟質部材３と硬質部材４とから構成される。軟質部材３は、図１に示されるように、主に、本体部分の前部中央に形成され、着用者の拇指球の中心部分が当接する。その材料は「アメゴム」で形成され、車のタイヤのゴムと同程度のやわらかな硬度（約６０度近辺）を有する。ハイヒールの本底の硬度が通常８０〜９０度近辺であることを鑑みれば、この約６０度という硬度は、本底には非常にやわらかな硬度であって、この柔らかさが、着地時の衝撃を緩和・分散・吸収する。
【００１０】
そして、この軟質部材３をＵ字状（バタフライ形状）に取り囲んで、軟質部材３とは異なる硬度（約８０〜９０度）の合成ゴム製硬質部材４が一体的に形成され、本底の本体部分を構成する。硬質部材４の側面および下面には塗料が塗られ、ハイヒールの美観をきわだたせ、ハイヒール底面のエレガントさを強調する。この硬質部材４によりハイヒールのけり出し力は維持される。
【００１１】
軟質部材３のゴムの硬度は、硬質部材よりもやわらかな硬度４５〜７０度の間のものが選択できるが、６０度近辺の履き具合がちょうど良く、硬度４０度以下では成形（加硫接着）時に、軟質部材３と硬質部材４が剥離してしまう欠点を有する。
【産業上の利用可能性】
【００１２】
本考案により、簡単な構成で、着用者の拇指球にかかる体重等による過度の力を和らげて足裏にかかる荷重を分散・平均化し、足裏の指の付け根の負担や痛みを軽減する。しかも、けり出し力は従来のように維持され、履き心地の優れたハイヒールを提供できる。これにより、本考案を用いたハイヒールは、従来の代表的なハイヒールに比べ、足裏の負荷を半分に軽減するという格別の効果を奏するものである。
【図面の簡単な説明】
【００１３】
【図１】図１は、本考案に用いられるハイヒールの本底を示し、（ａ）は上面図、（ｂ）は正面図、（ｃ）は下面図をあらわす。
【符号の説明】
【００１４】
１  ハイヒールの本底
２  ヒール部分
３  軟質部材
４  硬質部材
【図１】
0003173907.tif 000003
(57)【要約】      （修正有）【課題】スマートフォンに携帯ストラップを接続するための接続パーツを提供する。【解決手段】スマートフォンのイヤホーンジャックの穴にイヤホーンプラグと同形の硬質ゴムと、金属製のリングを一体化させた部品を差込み、金属製のリングの穴に携帯ストラップの紐を貫通させ、接続して、使用する。これにより、スマートフォンの落下防止、及び装飾に役立つ。【選択図】図３
0003173919.tif 000002
【実用新案登録請求の範囲】
【請求項１】
素材は硬質ゴムで製作しスマートフォンのイヤホーンプラグの差し込み部分と同じ円柱形のパーツ。
【請求項２】
その硬質ゴム部品の円柱形の平面な上面に金属製の携帯ストラップの紐を貫通できる穴がある、リングを垂直に突出させ、一体化したパーツ。
【請求項３】
硬質ゴムの直径はスマートフォンのイヤホーンジャックの穴の直径より太くした、パーツ。
【考案の詳細な説明】
【技術分野】
【０００１】  本考案はスマートフォンに携帯ストラップを接続するパーツに関するものである。
【背景技術】
【０００２】  スマートフォンは携帯電話にある、携帯ストラップ接続する、構造がない。
【先行技術文献】
【考案の概要】
【考案が解決しようとする課題】
【０００３】スマートフォンには携帯ストラップを接続する構造がない。この欠点を解決しようとするものである。
【課題を解決するための手段】
【０００４】スマートフォンのイヤホーンジャックの穴に円柱形の硬質ゴムと金属のリングを一体にしたパーツを差込、金属のリングに携帯ストラップを接続すると問題点を解決してる。
【考案の効果】
【０００５】  携帯ストラップ接続が可能になる事によって、スマートフォンが携帯しやすくなり、尚且つ、落下防止になり、尚且つ装飾に役立つ。
【図面の簡単な説明】
【０００６】
【図１】部品の正面図です。
【図２】部品の上からの斜視図です。
【図３】部品をスマートフォンに装着した図です・
【考案を実施するための形態】
【０００７】  スマートフォンのイヤホーンジャックの穴にこの接続パーツを差込、スマートフォン本体から、つきでだ金属製のリングの穴に携帯ストラップを接続する。
【実施例】
【０００８】  イヤホーンプラグの差込部分と同形の部品を硬質ゴムで製作し、その円柱形の部品の上面に金属製のリング部分が垂直に突出し、尚且つ、頑丈に接続する。【０００９】  接続部品の硬質ゴムの直径はイヤホーンジャックの穴の直径より大きくし、携帯ストラップを接続し、スマートフォンを振り回しても、外れない様にする。【００１０】  本考案の一実施例は上記の如き構成からなるものであるから、スマートフォンに携帯ストラップを接続できる。
【符号の説明】
【００１１】１  金属製リング
２  硬質ゴムで製作された、イヤホーンプラグと同形の部品
３  スマートフォン本体
４  液晶画面
【図１】
0003173919.tif 000003
【図２】
0003173919.tif 000004
【図３】
0003173919.tif 000005
【手続補正書】
【提出日】平成23年11月29日(2011.11.29)
【手続補正１】
【補正対象書類名】実用新案登録請求の範囲
【補正対象項目名】全文
【補正方法】変更
【補正の内容】
【実用新案登録請求の範囲】
【請求項１】
素材は硬質ゴムで製作しスマートフォンのイヤホーンプラグの差し込み部分と同じ円柱形のパーツ。
【請求項２】
前記の硬質ゴム部品の円柱形の平面な上面に金属製の携帯ストラップの紐を貫通できる穴がある、リングを垂直に突出させ、一体化させたことを特徴とする請求項１記載のパーツ。
【請求項３】
硬質ゴムの直径はスマートフォンのイヤホーンジャックの穴の直径より太くしたパーツにすることを特徴とする請求項１記載のパーツ。
(57)【要約】      （修正有）【課題】静かに掃除ができる掃除機を提供する。【解決手段】掃除機の本体を室外に出し、ホースを窓の内側のサッシュに嵌めこんだ隙間材を使用して室内に通し、蛇腹ホースを継ぎ足し、床用吸込口に接続する。【選択図】図１
0003173914.tif 000002
【実用新案登録請求の範囲】
【考案の詳細な説明】
【考案の詳細な説明】
掃除機の本体を室外に出すホースを室内に通すため隙間材を使用、窓の内、さつしゆに嵌めこむ、蛇腹ホースを、継ぎ足し床用吸込口外の部品を使用、静かに掃除が、出来る様、考案。
【考案の効果】
掃除の時、細い埃や音がなくなり衛生的である
【図１】
0003173914.tif 000003
【図２】
0003173914.tif 000004
【手続補正書】
【提出日】平成23年9月1日(2011.9.1)
【手続補正２】
【補正対象書類名】明細書
【補正対象項目名】全文
【補正方法】変更
【補正の内容】
【考案の詳細な説明】
【０００１】掃除機の本体を室外に出す、ホースを室内に通すための隙間材を使用、室の内側さつしゆに嵌めこむ。
蛇腹ホースを継ぎ足し床用吸込口  外の部品を使用静かに掃除が出来る様考案した掃除機
【考案の効果】
掃除の時、細い埃や音がなくなり衛生的である
【図面の簡単な説明】
【０００３】
【図１】室外へ掃除機の本体を出すためにさつしゆの内側に隙間材を設置する。隙間材にはホースを通すための穴があるその穴に蛇腹ホースを通し室外の本体に接続する
【図２】隙間材にホースを通すための穴パイプを取付ける蛇腹ホースを通し、室内の蛇腹ホースを適当の長さに延長し、床用ノズル、外の部品等で使用する。窓は隙間材の巾だけあける。使用しない時はホースをはずし窓を閉める。
【手続補正３】
【補正対象書類名】実用新案登録請求の範囲
【補正対象項目名】全文
【補正方法】変更
【補正の内容】
【実用新案登録請求の範囲】
【請求項１】
掃除機の本体を室外に出す
ホースを室内に通すための隙間材を窓の内側のサツシユに嵌めこむ。
蛇腹ホースを継ぎ足し、床用吸込口外の部品を使用して、静かに掃除が出来る様考案。
細い埃や音がなく衛生的である。
【手続補正書】
【提出日】平成23年11月25日(2011.11.25)
【手続補正１】
【補正対象書類名】実用新案登録請求の範囲
【補正対象項目名】全文
【補正方法】変更
【補正の内容】
【実用新案登録請求の範囲】
【請求項１】
掃除機の本体を室外に出し、ホースを窓の内側サッシュにはめ込んだ隙間材を使用して室内に通し、
蛇腹ホースを継ぎ足し床用吸込口に接続することを特徴とする掃除機。
(57)【要約】      （修正有）【課題】簡単に常に胸元に装着でき、非常時に笛としても使用できる笛付きネクタイピンを提供する。【解決手段】ネクタイピンに穴を開け音が鳴るようにする。【選択図】図１
0003173916.tif 000002
【実用新案登録請求の範囲】
【請求項１】
ネクタイピンに穴を開け音が鳴るようにし、笛としても使用できるようにする。
【考案の詳細な説明】
【技術分野】
【０００１】  本発明は万が一、事故や事件或いは災害に遭遇した際に、その危険を笛で他の人に知らせる笛付きネクタイピンに関するものである。
【背景技術】
【０００２】  従来は笛を持ち歩くのが面倒であり、かさばった。
【考案の概要】
【考案が解決しようとする課題】
【０００３】  万が一、事故や事件或いは災害に遭遇した際に、その危険や自分の居場所を知らせる手段として笛を用いるのが最適であるが、笛をいつも持ち歩く習慣はなく、面倒でありかさばり、瞬時に笛を使用することが困難であった。
【課題を解決するための手段】
【０００４】  ネクタイピンと笛を一体化させることで簡単に常に胸元に装着でき、非常時にすぐ使用できる。
【考案の効果】
【０００５】  従来のように笛を首にかける煩わしさや、ネクタイピンと一体化させることで簡単に常に胸元に装着でき、非常時にすぐ使用できる。一見、笛とわからないようにすることでいつも笛を持ち歩くことができる。デザインを工夫すればおしゃれなネクタイピンになる。
【図面の簡単な説明】
【０００６】
【図１】  本発明の側面図である
【符号の説明】
【０００７】  １  ネクタイピンに穴を開ける
２  笛の機能を持ったネクタイピン本体
３  フック
【図１】
0003173916.tif 000003
【手続補正書】
【提出日】平成23年10月31日(2011.10.31)
【手続補正１】
【補正対象書類名】実用新案登録請求の範囲
【補正対象項目名】全文
【補正方法】変更
【補正の内容】
【実用新案登録請求の範囲】
【請求項１】
ネクタイピンに穴を設け音が鳴るようにし、笛としても使用できる笛付きネクタイピン
(57)【要約】      （修正有）【課題】豆腐の包装パックから豆腐を取り出さずに包丁でさいの目状に切断することができ、手間と時間を短縮する分断済みパック詰め豆腐を提供する。【解決手段】パック詰め豆腐の厚さ１ａが複数等分にすでに分断され、層になっている。豆腐包装パックの上面フィルム２を開封した後、豆腐の上面から、垂直方向に包丁４を入れて、縦横格子状に包丁を進行させ、切り込む事で、包装パックに収納されたままの状態でさいの目状に切断する事ができる。【選択図】図３
0003173938.tif 000002
【実用新案登録請求の範囲】
【請求項１】
豆腐の厚さが等分に分断され、層になっているところを特徴とする分断済みパック詰め豆腐
【考案の詳細な説明】
【技術分野】
【０００１】  本考案は厚さが複数等分に分断されたパック詰めの豆腐に関する。
【背景技術】
【０００２】  従来パック詰めの豆腐をさいの目状に切断しようとする時には豆腐を包装パックからまな板、又は手の平の上に取り出して包丁で切断していた。
【考案の概要】
【考案が解決しようとする課題】
【０００３】  パック詰めの豆腐をさいの目状に切断しようとする時、まず豆腐の厚さを分断するためには、豆腐を必ず一度包装パックからまな板、又は手の平の上に取り出していた。その際、まな板や調理台を汚していた。又、手の平の上では不安定で切りにくく崩れる、落とす等していた。
【課題を解決するための手段】
【０００４】  本考案はパック詰め豆腐の厚さが複数等分にすでに分断され、層になっていることにより、豆腐包装パックの上面フィルムを開封した後、垂直方向に包丁を入れて、縦横に格子状に包丁を進行させ、切り込む事で、まな板や手の平の上に豆腐を取り出さなくても包装パックに収納されたままさいの目状に切断する事ができる。
【考案の効果】
【０００５】  誰でも簡単に、早く、豆腐をさいの目状にする事が出来、包装パックに収納したまま調理鍋まで運べ、落とさず崩さず投入出来る。一度豆腐を取り出さなくても良いので、まな板や調理台を汚さない、手間と時間の短縮に繋がる。
【図面の簡単な説明】
【０００６】
【図１】本考案の分断済みパック詰め豆腐の実施例を示す断面図である。
【図２】異なる厚さに分断されているパック詰め豆腐の実施例を示す断面図である
【図３】本考案の分断済みパック詰め豆腐を包丁で縦横格子状に切り込む実施例を示す斜視図である。
【考案を実施するための形態】
【０００７】  分断済み豆腐の包装パックの上面フィルムを開封した後、豆腐の厚さが複数等分にすでに分断され、層になっていることにより、豆腐の上面から垂直方向に包丁を入れ、縦横に格子状に包丁を進行させ、切り込む事で、包装パックに収納されたままの状態でさいの目状に切断する事ができる。
【実施例１】
【０００８】  以下、添付図面に従って、実施例を説明する。（２）は豆腐の包装パックの上面フィルム、（３）は豆腐の包装パック、包装パック（３）に詰められた豆腐（１）の厚さ（１ａ）が等分に分断されている。【０００９】  包装パックの上面フィルム（２）を開封した後、本考案の分断済み豆腐に垂直方向に包丁（４）を入れて、縦横格子状に包丁を進行させ、切り込む。
【実施例２】
【００１０】  厚く等分に分断され層になっている豆腐（５）や、より薄く等分に分断され層になっている豆腐（６）を選択することにより料理に合わせてさいの目の大きさを調整する事が出来る。
【実施例３】
【００１１】  家庭用に市販されているサイズの豆腐だけでなく、業務用の大きなサイズの豆腐にも応用して多数の層になっている事で一度に大量にさいの目状にする事が出来る。（図示せず）
【符号の説明】
【００１２】  １  豆腐
２  豆腐の包装パックの上面フィルム
３  豆腐の包装パック
４  包丁
５  厚く等分に分断されている豆腐
６  より薄く等分に分断されている豆腐
【図１】
0003173938.tif 000003
【図２】
0003173938.tif 000004
【図３】
0003173938.tif 000005
(57)【要約】      （修正有）【課題】津波発生時に起こる海水の引き水を感知して、警報ベルを鳴らすとともに、防波扉を無人で閉めることができる津波警報装置を提供する。【解決手段】堤防や岸壁５にフロートレスリレー装置７を設置し、当該装置に電極１を接続し電極は海面６の上下を計測するようになっていて、電極には信号線３が警報ベル装置２及び水門可動装置４に繋がれており、電極で生じた電流によりリレーが動作し信号線を流れた電気信号により警報ベルを鳴らすと伴に、水門駆動装置を稼働し水門を自動閉鎖する。【選択図】図１
0003173939.tif 000002
【実用新案登録請求の範囲】
【請求項１】
堤防や岸壁（５）にフロートレスリレー装置（７）を設置し当該装置に電極（１）を接続し電極は海面（６）の上下を計測するようになっていて電極には信号線（３）が警報ベル装置（２）及び水門可動装置（４）に繋がれており電極で生じた電流によりリレーが動作し信号線を流れた電気信号により警報ベルを鳴らすと伴に水門駆動装置を稼働し水門を自動閉鎖する装置。
【考案の詳細な説明】
【技術分野】
【０００１】本考案は津波の襲来を事前にキャッチし警報する装置である。
【背景技術】
【０００２】  従来の津波警報は気象庁からの連絡を受けた放送局や自治体が発表する伝達方法であるため報知まで時間がかかり避難を遅らせ結果的に犠牲者をだし人命・家屋への被害が多く発生した。
【考案の概要】
【０００３】  フロートレスリレーを利用してその電極（センサー）により急激な引き水を感知しその信号を電動ベルに伝え警報を鳴らし津波襲来を知らせる一方その信号を水門の開閉装置にも伝達し水門を無人で閉じる。
フローレスリレーの検知棒により急な引き潮を感知し警報ベルを鳴らし津波発生を知らせる装置。
津波発生時に起きる海水の引き水を利用した考案である。
海水が引水して海面の急激な降下をフロートレスリレーの検知棒（電極）が感知して電動線により電気信号を送りベルその他の警報装置を稼働する。
【考案が解決しようとする課題】
【０００４】  従来の津波警報は津波発生まで人的により気象台その他放送局の知らせにより各自に伝達していた、この間数十分もかかり避難までの時間を要し災害その他大きな被害を発生した。
【課題を解決するための手段】
【０００５】防波堤等の構造物に設置したフロートレスリレー装置の検知棒により急激な引き潮を探知し当該探知により発生した電気信号を電動ベル装置に伝達し警報ベルを鳴らす一方当該電気信号を水門駆動装置に送り水門を自動閉門する津波警報装置兼水門閉鎖装置。
この装置は津波発生前に海水が引水を起こす現象を利用し応用したものであり、駆動スウィッチとしてフロートレスリレーの方法を用いることを特徴としている。
フロートレスリレーの電極棒を海水に投入して海水の引きを感知して警報機に伝導し警報を鳴らす仕組みです。
フロートレスリレーは海水の引水の力が大きいので防波堤のような強力な物に取り付けて器具の流失を防ぎ安全な場所に設置する。
【考案の効果】
【０００６】  この装置の考案により早く海水の引きを感知して警報が鳴り住民に早く避難することを知らせ安全を進行させる。
警報はベル音声装置等による防波装置もこの装置に接続して作動させて防波扉も無人にて閉めることもできる。
【図面の簡単な説明】
【０００７】
【図１】  本考案の全体図
【符号の説明】
【０００８】  １、      電極
２、      リレー基盤
３、      電信線  １００Ｖ〜２００Ｖ
４、      基盤ベル音声装置
５、      フロートレスリレー設置場所
６、      海水
７、      フロートレスリレー装置
【図１】
0003173939.tif 000003
(57)【要約】【課題】  装飾物を取り付け可能なカメラ用ストラップを提供する。【解決手段】  第１のストラップ２１の第２のストラップ２３を取り付ける取り付け部３３の端部には、例えば金属製のリング部５１が設けられている。リング部５１は、装飾物を取り付けるために用いられる。リング部５１は、カメラ本体に取り付けられる第２のストライプ２３の先端からある程度距離が離れているため、取り付けた装飾物とカメラとの距離を一定以上に保つことができ、優れた装飾性を発揮できる。【選択図】図２
0003173980.tif 000002
【実用新案登録請求の範囲】
【請求項１】
カメラに一端が着脱可能に取り付けられる帯状のストラップであって、
装飾物を装着するためのリング部が設けられている
カメラ用ストラップ。
【請求項２】
第１のストラップと、
前記第１のストラップの一端部に設けられ、前記カメラに一端が着脱可能に取り付けられる帯状の第２のストラップと、
前記第１のストラップの他端部に設けられ、前記カメラに一端が着脱可能に取り付けられる帯状の第３のストラップと
を有し、
前記リング部は、前記第１のストラップの前記第２のストラップあるいは前記第３のストラップの少なくとも一方の側に設けられている
請求項１に記載のカメラ用ストラップ。
【考案の詳細な説明】
【技術分野】
【０００１】
本考案は、カメラのストラップに関するものである。
【背景技術】
【０００２】
カメラを首や肩等に掛けるために、カメラに着脱可能に装着されるカメラ用ストラップがある。
従来のカメラ用ストラップは、カメラに装着されるために用いられる装着部は備えているが、装飾物を取り付ける取り付け部は備えていない。
【考案の概要】
【考案が解決しようとする課題】
【０００３】
しかしながら、特に女性に、カメラ用ストラップに装飾物を取り付けたいというニーズが多い。
【０００４】
本考案はかかる事情に鑑みてなされたものであり、その目的は、装飾物を取り付け可能なカメラ用ストラップを提供することにある。
【課題を解決するための手段】
【０００５】
上述した従来技術の問題点を解決し、上述した目的を達成するために、本考案のカメラ用ストラップは、カメラに一端が着脱可能に取り付けられる帯状のストラップであって、装飾物を装着するためのリング部が設けられている。
【０００６】
好適には、本考案のカメラ用ストラップは、第１のストラップと、前記第１のストラップの一端部に設けられ、前記カメラに一端が着脱可能に取り付けられる帯状の第２のストラップと、前記第１のストラップの他端部に設けられ、前記カメラに一端が着脱可能に取り付けられる帯状の第３のストラップとを有し、前記リング部は、前記第１のストラップの前記第２のストラップあるいは前記第３のストラップの少なくとも一方の側に設けられている。
【考案の効果】
【０００７】
本考案によれば、装飾物を取り付け可能なカメラ用ストラップを提供することができる。
【図面の簡単な説明】
【０００８】
【図１】図１は、本考案の実施形態に係るカメラ用ストラップの全体外観図である。
【図２】図２は、図１に示すカメラ用ストラップの装飾物取付リング部付近の外観図である。
【考案を実施するための形態】
【０００９】
以下、本考案の実施形態に係るカメラ用ストラップについて説明する。
図１は、本考案の実施形態に係るカメラ用ストラップ１の全体外観図である。図２は、図１に示すカメラ用ストラップ１の装飾物取付リング部５１の付近の外観図である。
図１に示すように、カメラ用ストラップ１は、例えば、第１のストラップ２１と、その両側に取り付けられた第２のストラップ２３および第３のストラップ２５を有する。
【００１０】
第１のストラップ２１は、布製であり、その両端に皮を用いた取り付け部３３，３５によって第２のストラップ２３，２５が固定されている。
【００１１】
第２のストラップ２３，２５は、布製であり、第１のストラップ２１に比べて幅が狭い。
第２のストラップ２３，２５は、長さ調整部４３，４５によって、先端に形成されるリングの大きさに応じて長さを調整できるようになっている。
【００１２】
取り付け部３３の端部には、例えば金属製の装飾物取付リング部５１が設けられている。
装飾物取付リング部５１は、装飾物を取り付けるために用いられる。
【００１３】
装飾物取付リング部５１は、カメラ本体に取り付けられる第２のストラップ２３の先端から所定の距離だけ離れているため、取り付けた装飾物とカメラとの距離を一定以上に保つことができ、優れた装飾性を発揮できる。
また、リング部５１は、第２のストラップ２３側に設けられていることで、第１のストラップ２１をユーザの首や肩に掛けた際に邪魔にならない。
【００１４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１５】
例えば、上述した実施形態は、第２のストラップ２３側に一つのリング部５１を設けた場合を例示したが、第２のストラップ２３,２５の双方にリング部をそれぞれ設けてもよい。
また、第１のストラップ２１、第２のストラップ２３および第３のストラップ２５の幅や厚みは任意である。
【００１６】
また、リング部５１の形状および材料は特に限定されない。
【産業上の利用可能性】
【００１７】
本考案は、カメラに取り付けられるカメラ用ストラップに適用可能である。
【符号の説明】
【００１８】
１…カメラ用ストラップ
２１…第１のストラップ
２３…第２のストラップ
２５…第３のストラップ
３３，３５…取り付け部
５１…装飾物取付リング部 
【図１】
0003173980.tif 000003
【図２】
0003173980.tif 000004
(57)【要約】      （修正有）【課題】地震発生時の揺れによって、錘（おもり）を内蔵した人形が落下し、ブレーカーが電源を切断し、漏電による火災を自動的に防止するようにした電源を遮断する装置を提供する。【解決手段】配電盤のブレーカーＢの先端に紐Ｄを結んだソケットＣを差し込む。その紐の先端に錘（おもり）Ｅを内蔵したぬいぐるみ人形Ｇを結びつける。その人形を配電盤の横又は上部に、強力接着剤又は釘で設置された止まり木Ｆの上に置く。此れによって地震発生時の揺れによって、人形が止まり木から滑落する。止まり木がブレーカの横又は上部にある為、落下の速度が加速され、軽い錘でブレーカーが引き下げられて、電源を切断する。【選択図】図１
0003173926.tif 000002
【実用新案登録請求の範囲】
【請求項１】
紐を結んだソケットと、その紐の先端に結びつけた錘（おもり）を内蔵したぬいぐるみ人形と、その人形を配電盤の横又は上部に、強力接着剤又は釘で設置された止まり木とからなり、前記ソケットをブレーカーの先端に取り付けることによって、地震発生時の揺れで、人形が止まり木から滑落し、その重力でブレーカーが引き下げられて、電源を切断する地震発生時の揺れによって自動的にブレーカーを作動させ電源を遮断する装置。
【考案の詳細な説明】
【技術分野】
【０００１】
本発明は地震発生時の揺れによって、錘（おもり）を内蔵した人形が落下し、ブレーカーが電源を切断し、漏電による火災を自動的に防止するものである。
【背景技術】
【０００２】
地震発生時冷静に、電源を切りガスの元栓を切って非難する事は理想ではあるが、実際問題として緊急時にこれを期待する事は困難である。従って、緊急時に人の判断では無く、機械的に装置が作動して電源を切るものである。即ち、地震の揺れに依り、錘を内蔵した人形が、設置されていた台から滑落し、その重力でブレーカーが自動的に下りて、電源を切る装置である。この時、人間の判断も行為も全く必要としない。
【先行技術文献】
【特許文献】
【０００３】
特許出願平８−９２９３（特許公開平９−２４５６０４）
【考案の概要】
【考案が解決しようとする課題】
【０００４】
地震発生時に漏電及びショートによる火災発生を防止する為、平成１７年（２００５年）以降に建設された家屋には、漏電ブレーカーの設置が義務付けられているが、この装置は地震に依って家屋が倒壊し電気がショートするか又は、火災が発生した際にのみ作動する装置であって、火災発生後の類焼を防止する効果はあるが、火災発生を事前に防止する効果はない。ましてや、平成１７年以前に建設された家屋に対しては、漏電ブレーカーの設置がない。本考案による装置は、火災発生を事前に防止する目的に使用する。既設のブレーカに装着可能であり、安価に火災発生防止対策を実現する。本考案による器具の装着は図１に示す通り極めて簡単である。
【課題を解決するための手段】
【０００５】
配電盤のブレーカーの先端に紐を結んだソケットを差し込む。その紐の先端に錘（おもり）を内蔵したぬいぐるみ人形を結びつける。その人形を配電盤の横又は上部に、強力接着剤又は釘で設置された止まり木の上に置く。此れによって地震発生時の揺れによって、人形が止まり木から滑落する。止まり木がブレーカの横又は上部にある為、落下の速度が加速され、軽い錘でブレーカーが引き下げられて、電源を切断する。
【考案の効果】
【０００６】
装置に高価な器具を使用することなく、身近にあって安価な材料のみで、且つ簡単な操作で、恐ろしい火災を未然に防止できる。また各家庭の配電盤は平常時蓋で覆われているが、この器具はブレーカーから紐で人形に繋がっているため、配電盤の蓋は閉めることが出来る。他の類似の案件では大きな装置を設置するため、配電盤の蓋を開いたままにせざるを得ないが、この装置は平常時蓋をしたままに出来る為、外観上も見苦しくない。また、通常殺伐とした配電盤のそばに目を引く人形を置く事によって、家族にホットした安心感と、信頼感を醸成する。家族全員がこの安価で簡単な装置で安心感を得る事ができる。
【図面の簡単な説明】
【０００７】
【図１】本考案の全体図
【考案を実施するための形態】
【０００８】
配電盤AのブレーカーBにソケットCを差し込む。その先端に紐Dを結ぶ。その先端に錘Eを内蔵したぬいぐるみG人形を結びつける。人形Gを止まり木Fに置く。止まり木Fは配電盤Aの横、ブレーカBより上部に装着する。
【産業上の利用可能性】
【０００９】
非常に安価な上、簡単な操作で大きな安心を得ることが出来るので、他の機械設備にも適用ができる。
【符号の説明】
【００１０】
A.配電盤
B.ブレーカー
C.ソケット
D.紐
E.錘（人形内部）
F.止まり木
G.ぬいぐるみ人形
【図１】
0003173926.tif 000003
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
紐を結んだソケットと、その紐の先端に結びつけた錘（おもり）を内蔵したぬいぐるみ人形と、その人形が設置され、配電盤の横又は上部に、強力接着剤又は釘で設置され、人形を支える最小限のスペースを持つ止まり木とからなり、前記ソケットをブレーカーの先端に取り付けることによって、地震発生時の揺れで、人形が止まり木から滑落し、その重力でブレーカーが引き下げられて、電源を切断する地震発生時の揺れによって自動的にブレーカーを作動させ電源を遮断する装置。
(57)【要約】      （修正有）【課題】照明とレフ板、折りたたみ可能で被写体のサイズにあわせて調整できるフレームを有し、同一の背景紙を使用して小物の撮影から５０センチほどの高さの商品まで美しく撮影することができる簡易撮影装置を提供する。【解決手段】高さが調整できる背景紙ホルダーに照明を取り付けることによって、小物から５０センチ以上の高さの被写体まで、一体型の簡易撮影装置で撮影できる。【選択図】図１
0003173986.tif 000002
【実用新案登録請求の範囲】
【請求項１】
少なくとも二本の支柱と、両支柱の上部に連結する棒状部を備えた背景紙ホルダーと、前記棒状部に設けられた光源と、前記背景紙ホルダーに係止された背景紙を有する簡易撮影装置であって、前記背景紙ホルダーの高さが調整可能なことを特徴とする簡易撮影装置。
【考案の詳細な説明】
【技術分野】
【０００１】
本考案は、照明とレフ板、折りたたみ可能で被写体のサイズにあわせて調整できるフレームを有し、同一の背景紙を使用して小物の撮影から５０センチほどの高さの商品まで美しく撮影することができる簡易撮影装置に関するものである。
【背景技術】
【０００２】
通常の簡易撮影装置は、小物しか撮影することができず、５０センチほどのサイズの被写体を撮影するときは、一体型の撮影キットが存在せず、背景紙ホルダーと照明が別固体になっている。
【先行技術文献】
【特許文献】
【０００３】
【特許文献１】特開2006-171088号公報
【考案の概要】
【考案が解決しようとする課題】
【０００４】
通常の簡易撮影装置は、小物しか撮影することができず、５０センチ以上のサイズの被写体を撮影するときは、背景紙ホルダーと照明が別固体になっているため、背景紙ホルダーと照明をそれぞれ買い揃える必要がある。
【課題を解決するための手段】
【０００５】
高さが調整できる背景紙ホルダーに照明を取り付けることによって、小物から５０センチ以上の高さの被写体まで、一体型の簡易撮影装置で撮影できる。
【図面の簡単な説明】
【０００６】
【図１】本考案を正面から見た説明図
【考案を実施するための形態】
【０００７】
本発明の最良の形態は、図１の背景紙ホルダー１が自立しつつ、背景紙を挟み込む背景紙クリップ５と光源３を有し、かつ高さ調整ネジ２で背景紙ホルダー１の高さを変更できる棒材であり、棒材の材質は、アルミのような金属が理想であるが、樹脂で代用しても構わない、サイズは横幅９０ｃｍ、高さはミニマム５０ｃｍぐらいが理想であるが、その限りではない。
【符号の説明】
【０００８】
・  背景紙ホルダー
・  高さ調整ネジ
・  光源
・  背景紙
・  背景紙クリップ
・  撮影する被写体
【図１】
0003173986.tif 000003
(57)【要約】      （修正有）【課題】収納箱に巻き戻ってしまい内部のラップフィルム表面に貼り付いてしまいどこにあるか見つけにくいラップフィルムの端が、ラップフィルムに配した識別ラインを目で追うだけでどこにあるかが容易にわかるようにしたラップフィルムを提供する。【解決手段】ラップフィルムに、このラップフィルムの引き出し方向と同方向に、ラップフィルムの素材と視覚上識別できる素材による識別ラインを配する。【選択図】図１
0003173588.tif 000002
【実用新案登録請求の範囲】
【請求項１】
ラップフィルムに、このラップフィルムの引き出し方向と同方向に、ラップフィルムの素材と視覚上識別できる素材による識別ラインを配設するようにしたことを特徴とするラップフィルム。
【考案の詳細な説明】
【技術分野】
【０００１】
本考案は、ラップフィルムに関し、特にラップフィルムを収納箱に紙筒芯にロール状に巻いて収納し、使用時にその端を引き出しカットして使う食品包装用ラップフィルムへの適用に好適なラップフィルムに係るものである。
【背景技術】
【０００２】
従前から例えば透明なラップフィルムが収納箱にロール状に紙筒芯に巻いて収納され、使用時にそのラップフィルムの端を引き出して必要な大きさにカットして使うようにした食品包装用ラップフィルムが広く知られている。
【０００３】
しかしながら、上記した公知の食品包装用ラップフィルムは一様に無色透明膜状素材の構成であることから、なにかの拍子にラップフィルムの端が収納箱に戻ってしまい内部のラップフィルム表面に貼り付いてしまうと、ラップフィルムの端がどこにあるか見つけにくいといった欠点があり、特に視力の弱ったお年寄りには非常に困難な作業となっていたものである。
またその欠点を改善するために、特開２０１１−１０５４１１号公報に示されるように、テープ状で切れ目が入っていることで３本に独立する粘着フィルムを使用する技術が提案されているが、わざわざ複雑な構成の粘着フィルムを別に用意することはコスト面での問題が生じるものであった。
【先行技術文献】
【特許文献】
【０００４】
【特許文献１】特開２０１１−１０５４１１号公報
【考案の概要】
【考案が解決しようとする課題】
【０００５】
解決しようとする問題点は、ラップフィルムに、このラップフィルムの引き出し方向と同方向に、ラップフィルムの素材と視覚上識別できる素材による識別ラインを配することにより、収納箱に巻き戻ってしまい内部のラップフィルム表面に貼り付いてしまいどこにあるか見つけにくいラップフィルムの端が、ラップフィルムに配した識別ラインを目で追うだけでどこにあるかが容易にわかるようにしたラップフィルムを提供することにある。
【課題を解決するための手段】
【０００６】
本考案に係るラップフィルムは、ラップフィルムに、このラップフィルムの引き出し方向と同方向に、ラップフィルムの素材と視覚上識別できる識別ラインを配設するようにしたものである。
そして、上記識別ラインはラップフィルムの中央に配するようにしてもよいし、また端部に配するようにしてもよいなど、配置する位置は任意に決めればよい
【考案の効果】
【０００７】
本考案のラップフィルムは、ラップフィルムに、このラップフィルムの引き出し方向と同方向に、ラップフィルムの素材と視覚上識別できる識別ラインを配するようにしたから、収納箱に巻き戻ってしまい内部のラップフィルム表面に貼り付いてしまいどこにあるか見つけにくいラップフィルムの端が、ラップフィルムに配した識別ラインを目で追うだけでどこにあるかが容易にわかるので、修復が容易である。
【図面の簡単な説明】
【０００８】
【図１】図１は本考案に係るラップフィルムの実施の一例を示す概略図である。（実施例１）
【図２】図２は本案ラップフィルムを修復する状態を示す概略説明図である。
【考案を実施するための形態】
【０００９】
ラップフィルムに、このラップフィルムの引き出し方向と同方向に、ラップフィルムの素材と視覚上識別できる素材による識別ラインを配設する。例えばラップフィルムの素材が無色透明であれば、着色かつ／あるいは不透明な識別ラインを配するようにすればよい。
【実施例１】
【００１０】
図１は本考案に係るラップフィルムの実施の一例を示す概略図、図２は本案ラップフィルムを修復する状態を示す概略説明図である。
図１および図２において、本考案に係るラップフィルム１は無色透明膜状素材
で構成され、収納箱２に紙筒芯３にロール状に巻いて収納されている。
このラップフィルム１の引き出し方向と同一方向に、ラップフィルムの中央に着色した識別ライン４を配設するようにしたから、ラップフィルム１の無色透明素材と識別ライン４とは視覚上明確に識別できることとなる。
したがって、食品包装用ラップフィルムの使用時において、なにかの拍子に収納箱に巻き戻ってしまい内部のラップフィルム表面に貼り付いてしまいどこに端があるか見つけにくい場合でも、図２に示すように、ラップフィルムの着色ライン４を目で追うだけでどこに端があるかが一目でわかり、修復が容易である。
【００１１】
尚、本考案は上記実施例において食品包装用ラップフィルムに適用したが、もちろん食品包装用ラップフィルムに限定されることなく、ラップフィルムであればどのようなタイプでも適用できる。また、上記実施例では、ラップフィルムに識別ラインとして着色した識別ラインとしたが、ラップフィルムの素材に応じてその素材と視覚上識別できる識別ラインであればどのようなものであってもよい。さらに、上記実施例では、識別ラインをラップフィルムの中央に設定したが、一端あるいは両端に設定してもよいなど、ラップフィルム引き出し方向と同方向である限り、配置位置には限定されない。また、上記実施例では識別ラインを直線としたが、点線、破線、鎖線、二重線などのラインであってもよい。さらにまた、識別ラインをラップフィルムに備える手段についても、ラップフィルム製造過程において着色してもよいし、印刷手段でもよいしレーザーマーカーなどによる刻印でもよいなど限定されない。
【産業上の利用可能性】
【００１２】
本考案のラップフィルムは、ラップフィルムに、このラップフィルムの引き出し方向と同方向に、ラップフィルムの素材と視覚上識別できる識別ラインを配設するようにしたから、使用時にラップフィルムの端が収納箱に巻き戻ってしまい内部のラップフィルム表面に貼り付いてしまい、どこにあるか見つけにくいラップフィルムの端が、ラップフィルムに配した識別ラインを目で追うだけでどこにあるかが簡単にわかるので、修復が容易である。
【符号の説明】
【００１３】
１    ラップフィルム
２    収納箱
３    紙筒芯
４    識別ライン
【図１】
0003173588.tif 000003
【図２】
0003173588.tif 000004